(57)【要約】【課題】図柄可変表示領域に表示された図柄の視認性が良好であり、さらに図柄可変表示領域の前面を遊技領域とした遊技機を提供する。【解決手段】本発明による遊技機は、遊技盤内に図柄可変表示領域を備えている。該遊技機は、該図柄可変表示領域を覆うように遊技盤上に配置された遊技球通路部を有し、該遊技球通路部は該遊技盤に固定された支持部と、該支持部に移動自在に載置されかつ遊技球の誘導路を備えた可動透明通路体と、を含む。該可動透明通路体は左右方向に互いに近接離間する１対の透明板体を含むこととしても良い。【選択図】図２
2007125137.tif 000002
【特許請求の範囲】
【請求項１】
遊技盤内に図柄可変表示領域を備えた遊技機であって、
前記図柄可変表示領域を覆うように遊技盤上に配置された遊技球通路部を有し、
前記遊技球通路部は前記遊技盤に固定された支持部と、前記支持部に移動自在に載置されかつ遊技球の誘導路を備えた可動透明通路体と、を含むことを特徴とする遊技機。
【請求項２】
前記可動透明通路体は左右方向に互いに近接離間する１対の透明板体を含むことを特徴とする請求項１記載の遊技機。
【請求項３】
前記１対の透明板体における前記誘導路はそれぞれ前記遊技盤の側方から中央部に向けて下方に傾斜していることを特徴とする請求項２記載の遊技機。
【請求項４】
前記１対の透明板体は互いに接している状態においてのみ完結する遊技球経路を備えていることを特徴とする請求項２又は３に記載の遊技機。
【請求項５】
前記誘導路は少なくとも１つの湾曲部を含むことを特徴とする請求項１乃至４の何れか１に記載の遊技機。
【請求項６】
前記図柄可変表示領域の下方に入賞誘導通路口を備え、
前記遊技球通路部は遊技球を前記入賞誘導通路口に案内する遊技球通路を有することを特徴とする請求項１乃至５の何れか１に記載の遊技機。
【発明の詳細な説明】
【技術分野】
【０００１】
本発明は、遊技盤内に図柄可変表示領域を備えた遊技機に関する。
【背景技術】
【０００２】
パチンコ機に代表される弾球遊技機において、複数の識別図柄を可変表示させてその停止時の識別図柄の組合せが予め定めた大当り情報の組合せであるときに、特定遊技状態（大当り遊技状態とも言う）となって短時間に多量の入賞玉を発生させるチャンスを遊技者に付与するものが多数提供されている。当該識別図柄を表示する表示装置として、液晶ディスプレイ（ＬＣＤ）、陰極線管ディスプレイ（ＣＲＴ）等の画像表示装置が使用されている。かかる画像表示装置によれば、識別図柄を含む画像をソフトによって自由に表示することができて、多彩な演出を遊技者に提供することができる。
【０００３】
上記した画像表示装置は、平面状の表示面に画像を表しているだけであるため、画像による演出が単調になるおそれがあった。そこで画像表示装置の前方に該画像表示装置の表示面をよぎるように移動するシャッター部（扉）を配置し、該シャッター部で表示面の図柄を隠す技術が提案されている（特許文献１乃至３参照）。該シャッター部を移動せしめて該表示面を遮蔽若しくは露出せしめることにより、表示面に表示されている図柄とあわせて演出効果を高めることができるようになっている。
【０００４】
かかる画像表示装置の表示面は遊技球が衝突することによって損傷するおそれがある故、該画像表示装置の周囲に庇などの遮蔽部を設けて、遊技球が表示面に接触することを防いでいる。
【０００５】
ところが、表示面の面積が大となるに従って、遊技盤上における遊技球が通過できる遊技領域が狭くなり、その結果、遊技球の流路が単調になるおそれがあった。すなわち、画像表示装置の表示面が大きくなるに従って、遊技球の動きを楽しませる遊技機本来の機能が充分に発揮できなくなるおそれがあった。
【０００６】
そこで、画像表示装置の表示面上に透明板を配置して、該透明板の上に遊技球を通過せしめる技術が提案されている（特許文献４参照）。該透明板には釘等の構造体が植設されており、遊技球が当該構造体と衝突することによりその進行方向が変化するようになっている。
【特許文献１】特開２００４‐３５０９８７号公報
【特許文献２】特開２００４‐３５０９８８号公報
【特許文献３】特開２００５‐０００５４０号公報
【特許文献４】特開平１０−２７２２３１号公報
【発明の開示】
【発明が解決しようとする課題】
【０００７】
表示面上に透明板を配置する構成によって、表示面の前方を遊技領域として使用できるものの、透明板上に配置された構造体が表示面を常時遮蔽して表示面に表示された図柄の視認性を悪化させるおそれがある。
【０００８】
透明板上の構造体の数を減らすことによって視認性を向上させることができるものの、表示面上における遊技球の動きを当該構造体によって変化させるには限界がある。すなわち、表示面上を遊技球が通過できるようになっても、表示面上における遊技球の動きによる演出には限界があり、遊技球の動きを楽しませるという遊技機本来が備るべき機能が低下する、という問題がある。
【０００９】
本発明は、上述した問題点が一例として挙げられる課題を解決するためになされたものであり、画像表示装置の表示面の面積が大となっても、遊技領域を制限せず、かつ表示面の図柄が視認し易い遊技機を提供することを目的としている。
【課題を解決するための手段】
【００１０】
本発明による遊技機は、遊技盤内に図柄可変表示領域を備えた遊技機であって、該図柄可変表示領域を覆うように遊技盤上に配置された遊技球通路部を有し、該遊技球通路部は該遊技盤に固定された支持部と、該支持部に移動自在に載置されかつ遊技球の誘導路を備えた可動透明通路体と、を含むことを特徴とする。
【発明を実施するための最良の形態】
【００１１】
以下、本発明による遊技機について、添付図面を参照しつつ詳細に説明する。なお、遊技機の１例としてパチンコ機を用いて説明する。
（実施例１）
図１に示す如く、パチンコ機１は、本体基部となる本体枠２と、本体枠２の内部に配設された遊技盤３と、遊技盤３の前面に設けられていて本体枠２に対して開閉自在になっている前面枠４と、を有する。
【００１２】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、パチンコ機１の右側部に配置されておりかつ遊技者が握りやすいように突設している。操作ハンドル６には、所定の角度範囲内で回動自在な打出調整部７が設けられている。打出調整部７は弾球の発射装置（図示せず）を駆動せしめる操作スイッチとなっており、打出調整部７を基準位置から時計回り方向に回動せしめることによって遊技球の該発射装置が作動するようになっている。打出調整部７は、バネ等により反時計回り方向への付勢力が付与された状態で基準位置に配置されている。ここで基準位置とは非変移状態の位置をいい、かかる位置に打出調整部７が配置されている場合に、遊技球は遊技盤３の遊技領域３ａに打ち出されないようになっている。
【００１３】
パチンコ機１の背面には、パチンコ機１の各種装置を制御する主制御装置および副制御装置（いずれも図示せず）が設けられている。
【００１４】
上記の如きパチンコ機１において、遊技盤３の遊技球が打ち出される遊技領域３ａの略中央には、図柄可変表示領域８ａを含む図柄可変表示装置８と、図柄可変表示領域８ａを覆うように遊技盤３上に配置された遊技球通路部９と、が設けられている。遊技球通路部９の下方には、特定入賞口（図示せず）を備えた入賞装置１０が設けられている。また、遊技球通路部９の周囲には、始動入賞口若しくは通常入賞口を備えた入賞装置、釘、風車、アウト口等（いずれも図示せず）も設けられている。なお各入賞口（図示せず）内には、遊技球が各入賞口を通過したことを検知する入賞球検知センサ（図示せず）が設けられている。
【００１５】
図柄可変表示装置８は液晶ディスプレイ（ＬＣＤ）、陰極線管ディスプレイ（ＣＲＴ）等の画像表示手段であり、パチンコ機１の主制御装置（図示せず）および副制御装置（図示せず）によって制御されている。該主制御装置および該副制御装置は、所定の入賞ロを遊技球が通過するなどの所定入賞条件に基づいてこれに対応する表示信号を図柄可変表示装置８に供給し、図柄可変表示装置８は、該表示信号に応じた識別図柄等を図柄可変表示領域８ａに変動表示する。従って、図柄可変表示領域８ａには遊技状態に応じた識別図柄等が変動表示され、当該変動図柄による表示演出を行うことができる。
【００１６】
遊技球通路部９は、遊技盤３に固定された支持部１１と、支持部１１に移動自在に載置されかつ遊技球の誘導路（１２ｃ、１２ｄ）を備えた可動透明通路体１２と、を含んでいる。
【００１７】
支持部１１は、図柄可変表示領域８ａの周囲を囲む枠となっており、枠の窓１１ａから図柄可変表示領域８ａが視認できる。支持部１１は、遊技球が通過できる通過開口１１ｂと、通過開口１１ｂへの遊技球の通過の許否を振分ける揺動体１１ｃと、通過開口１１ｂに連通している案内通路１１ｄと、案内通路１１ｄに連通していて支持部の枠の内側、すなわち図柄可変表示領域８ａの前方に遊技球を導く供給開口１１ｅと、をその上部の左右に備えている。揺動体１１ｃは通過開口１１ｂを開閉せしめるように揺動する。すなわち、揺動体１１ｃが通過開口１１ｂを開放せしめて遊技球の通過を許可している場合、遊技球は通過開口１１ｂ、案内通路１１ｄおよび供給開口１１ｅを経由して図柄可変表示領域８ａの前方に導かれる。
【００１８】
可動透明通路体１２は、左右方向に互いに近接離間する１対の透明板体１２ａ，１２ｂからなる。図１乃至図４に示す如く、１対の透明板体１２ａ，１２ｂは、それぞれ窓１１ａの中央を挟んで左右に位置されており、図柄可変表示領域８ａの前面を左右方向に移動して互いに近接離間して、図柄可変表示領域８ａを完全に（図２）若しくは一部を覆う（図３）又は露出する（図４）。図柄可変表示領域８ａの一部若しくは全体が透明板体１２ａ，１２ｂ（可動透明通路体１２）によって覆われた場合、当該領域に表示された図柄は、透明板体１２ａ，１２ｂ（可動透明通路体１２）を介して視認できる。
【００１９】
ここで可動透明通路体１２は、光を透過せしめる特性を有する部材によって形成され、当該部材に入射した光をほとんど透過せしめるものからなる場合に限定されない。すなわち、可動透明通路体１２は光の透過率が５０％以下の半透明体であっても良い。
【００２０】
また、可動透明通路体１２は、特定波長の光のみを透過せしめるフィルター特性を有することとしても良い。例えば、可動透明通路体１２は、透明部材に特定波長の光のみを透過せしめる薄膜を固着させたものからなることとしても良い。当該薄膜を用いて可動透明通路体１２を装飾することができて、演出効果を高めることができる。
【００２１】
なお、可動透明通路体１２にはソレノイド、ラックアンドピニオン機構などの線形移動手段（図示せず）が取り付けられており、該線形移動手段が駆動することによって可動透明通路体１２は移動する。該線形移動手段はパチンコ機１の主制御装置および副制御装置（いずれも図示せず）によって駆動制御され、該主制御装置および該副制御装置は所定の条件（例えば、所定の入賞口を遊技球が通過すること）に応じて該線形移動手段を駆動する。
【００２２】
可動透明通路体１２ａ，１２ｂに設けられている誘導路１２ｃ，１２ｄは、この上を伝って遊技球を所定の方向に案内する通路であり、図５に示す如く、溝状になっている。可動透明通路体１２が１対の透明板体１２ａ，１２ｂからなる場合（図１乃至３参照）において、各透明板体１２ａ，１２ｂに設けられている誘導路１２ｃ，１２ｄは、それぞれ遊技盤３の側方から中央部に向けて下方に傾斜している。
【００２３】
誘導路１２ｃ，１２ｄは、少なくとも１つの湾曲部１２ｅ，１２ｆを有している。図１乃至３に示すように、誘導路１２ｃ，１２ｄはそれぞれ１つの湾曲部１２ｅ，１２ｆを有し、当該湾曲部１２ｅ，１２ｆを介して誘導路１２ｃ，１２ｄの傾斜角度が異なっていることとしても良い。誘導路１２ｃ，１２ｄ上を移動する遊技球の速度を湾曲部１２ｅ，１２ｆの前後で変化させることができる。これによって、遊技球の動きによる演出効果を高めることができる。
【００２４】
１対の透明板体１２ａ，１２ｂは互いに接している状態においてのみ完結する遊技球経路１３を備えている。すなわち、図２に示す如く、１対の透明板体１２ａ，１２ｂが互いに接している場合に、支持部１１が形成している枠の右方若しくは左方から供給された遊技球を窓１１ａの中央下方に導く遊技球経路１３を形成する。
【００２５】
図柄可変表示領域８ａの下方において、支持部１１は上下方向に湾曲しているステージ１１ｆを有している。ステージ１１ｆは、支持部の供給開口１１ｅを通過して支持部１１の窓１１ａの下方に落下した遊技球の進行方向の振分けを行う機能を有しており、谷部１１ｇに遊技球が導かれる。図中、ステージには３箇所の谷部１１ｇが設けられており、遊技球はいずれかの谷部１１ｇに導かれる。谷部１１ｇは前方に向かって下方に傾斜しており、谷部１１ｇにおいて遊技球は前方に転動する。
【００２６】
図５に示す如く、支持部１１の下方中央に設けられた谷部１１ｇの前方には、支持部１１の窓１１ａの内側から外部へ遊技球を排出するための球排出口１１ｈが設けられている。球排出口１１ｈは、遊技球通路１１ｉの入り口となっており、遊技球通路１１ｉは図柄可変表示領域８ａの下方に設けられた入賞誘導通路口１１ｊに遊技球を案内する。入賞誘導通路口１１ｊの鉛直下方には、特定入賞口（図示せず）を備えた入賞装置１０が設けられており、入賞誘導通路口１１ｊから排出された遊技球は、該特定入賞口に導かれ易くなっている。入賞装置１０には遊技球が該特定入賞口を通過したことを検知する球検知センサ（図示せず）が設けられている。遊技球が該特定入賞口を通過したことを該球検知センサが検知すると、パチンコ機１は遊技者に有利な特定遊技状態（大当り遊技状態とも言う）を提供するようになっている。ここで特定遊技状態とはパチンコ機１が短時間に大量の賞球を払い出させるチャンスを遊技者に付与している状態をいい、例えば、揺動体１１ｃを複数回にわたって揺動させて遊技球を遊技球通路部９内へ導きやすくしている状態をいう。
【００２７】
支持部１１の下方の右側および左側に設けられた谷部１１ｇは、支持部１１の前方方向に向けて下方に傾斜しており、当該谷部１１ｇに導かれた遊技球は、支持部１１の前方に導かれて、支持部１１から落下する。
【００２８】
上記の如き構成の遊技球通路部９における遊技球の動きについて説明する。図２に示す如く、可動透明通路体１２を構成する１対の透明板体１２ａ，１２ｂが互いに接して図柄可変表示領域８ａを完全に覆っている場合、供給開口１１ｅを介して支持部１１の窓１１ａの左若しくは右側上方から供給された遊技球Ｂは、誘導路１２ｃ，１２ｄの上を伝ってステージ１１ｆの中央に導かれる（図中、遊技球Ｂの動きを太線矢印で示す）。当該遊技球は、ステージ１１ｆ上を移動して当該ステージ１１ｆの何れかの谷部１１ｇに振分けられるものの、そのほとんどは、ステージ１１ｆの中央の谷部１１ｇを転動し、球排出口１１ｈ（図５）に導かれる。球排出口１１ｈに導かれた遊技球は、そのほとんどが遊技球通路１１ｉおよび入賞誘導通路口１１ｊを介して、入賞装置１０の特定入賞口（図示せず）に導かれる。すなわち、可動透明通路体１２が図柄可変表示領域８ａを完全に覆っている場合において、遊技球を特定入賞口（図示せず）に導き易い状態が提供される。かかる可動透明通路体１２の状態を高確率状態と称する。
【００２９】
図４に示す如く、可動透明通路体１２を構成する１対の透明板体１２ａ，１２ｂが図柄可変表示領域８ａを完全に露出せしめている場合、供給開口１１ｅを介して支持部１１の左若しくは右側上方から供給された遊技球Ｂは、支持部１１によって形成されている枠の内側を落下して、ステージ１１ｆの左若しくは右側に導かれる（図中、遊技球Ｂの動きを太線矢印で示す）。当該遊技球は、ステージ１１ｆ上を移動して当該ステージ１１ｆの何れかの谷部１１ｇに振分けられるものの、そのほとんどは、落下した位置の近傍の谷部１１ｇ、すなわちステージ１１ｆの左若しくは右側の谷部１１ｇを転動し、支持部１１から落下する。支持部１１から落下した遊技球は、遊技領域３ａを通過して、通常入賞口（図示せず）若しくはアウト口（図示せず）から回収される。なお、ステージ１１ｆの左若しくは右側に落下した遊技球は、稀にステージ１１ｆの中央の谷部１１ｇを転動して球排出口１１ｈに導かれる。このように、可動透明通路体１２が図柄可変表示領域８ａを完全に露出せしめている場合において、遊技球を特定入賞口（図示せず）に導き難い状態が提供される。かかる可動透明通路体１２の状態を低確率状態と称する。
【００３０】
図３に示す如く、可動透明通路体１２を構成する１対の透明板体１２ａ，１２ｂが図柄可変表示領域８ａの一部を覆っている場合、供給開口１１ｅを介して支持部１１の左若しくは右側上方から供給された遊技球は、支持部１１によって形成されている枠の内側を一旦落下し、誘導路１２ｃ，１２ｄを伝ってステージ１１ｆに導かれる。当該遊技球は、ステージ１１ｆ上を移動して当該ステージ１１ｆの何れかの谷部１１ｇに振分けられる。ここで、遊技球の振分け先は、主に誘導路１２ｃ，１２ｄの下端部の位置に応じて変化し、最終的にはステージ１１ｆ上における遊技球の運動状態によって決定される。誘導路１２ｃ，１２ｄの下端部がステージ１１ｆの中央に近い位置にある場合、遊技球はステージ１１ｆの中央の谷部１１ｇを転動し易く、誘導路１２ｃ，１２ｄの下端部がステージ１１ｆの左右の端部に近い位置にある場合、遊技球はステージ１１ｆの右側若しくは左側の谷部１１ｇを転動し易い。このように、透明板体１２ａ，１２ｂが図柄可変表示領域８ａの一部を覆っている状態を変動確率状態と称する。
【００３１】
かかる変動確率状態において、遊技球の振分け先は、透明板体１２ａ，１２ｂの位置（特に誘導路１２ｃ，１２ｄの下端部の位置）に応じて変化し、さらに遊技球の運動状態によって最終的に決定されることから、遊技者に遊技球の振分け先を予測させることが困難となる。その結果、遊技者は遊技球通路部９における遊技球の動きと振分け結果に対する関心を高めることができる。すなわち、上記の如き遊技球通路部９を設けることによって、可動透明通路体１２の動きによる演出と遊技球の動きによる演出と図柄可変表示領域８ａにおける識別図柄による演出とを合わせて提供することができて、遊技の興趣を高めることができる。また、最終的な振分け結果に変化を与えることができる故、遊技者に結果の意外性を提供することができる。
【００３２】
以上のように、遊技球通路部９は、遊技球の進行方向を振分ける機能も備えている。
【００３３】
上記の如き構成のパチンコ機１（遊技機）は、図柄可変表示領域８ａの前方を遊技球が通過できる領域として活用することができる故、図柄可変表示領域８ａの面積の大小に関わらず、遊技領域が制限されることはない。また、図柄可変表示領域８ａの前面において、遊技球の動きによる演出を提供することができる。
【００３４】
また、可動透明通路体１２は、図柄可変表示領域８ａに対して可動であることから、当該領域に表示された識別図柄の視認性を向上させることができる。特に、識別図柄の変化に遊技者の注意を払わせるなど、図柄可変表示領域８ａに遊技者の関心を引かせたい場合に、可動透明通路体１２を意図的に移動させて当該領域を露出せしめ、図柄可変表示領域８ａの識別図柄の視認性を向上させることができる。
【００３５】
さらに、可動透明通路体１２の出没状況に応じて、図柄可変表示領域８ａの前面における遊技球の通路の形状が変化することから、遊技球通路部９における遊技球の動きも変化させることができる。そして、かかる遊技球の運動の変化を用いて、遊技球の振分け機構を提供することができる故、遊技機の興趣を高めることができる。
（実施例２）
１対の透明板体が互いに接しているときに完結する遊技球経路は、遊技球を支持部の下方中央に導く場合に限定されず、例えば支持部の下方の左側又は右側の何れかに導くこととしても良い。
【００３６】
例えば、図６に示す如く、遊技球通路部９は、左上方に通過開口１１ｂと揺動体１１ｃと案内通路１１ｄと供給開口１１ｅとが設けられている支持部１１と、左上方から右下方に向けて下方に傾斜している誘導路１２ｃ，１２ｄを備えている１対の透明板体１２ａ，１２ｂ（可動透明通路体１２）と、からなる。１対の透明板体１２ａ，１２ｂは、それぞれ窓１１ａの中央を挟んで左右に位置されており、図柄可変表示領域８ａの前面を左右方向に移動して互いに近接離間して、図柄可変表示領域８ａを完全に（図６（ａ））若しくは一部を覆う（図６（ｂ））又は露出する（図６（ｃ））。図柄可変表示領域８ａの一部若しくは全体が透明板体１２ａ，１２ｂ（可動透明通路体１２）によって覆われた場合、当該領域に表示された図柄は、透明板体１２ａ，１２ｂ（可動透明通路体１２）を介して視認できる。
【００３７】
当該実施例において、１対の透明板体１２ａ，１２ｂからなる可動透明通路体１２は、図柄可変表示領域８ａを完全に覆う場合、すなわち１対の透明板体１２ａ，１２ｂが互いに接している状態（図６（ａ））において、支持部１１の窓１１ａの左上側から右下側に遊技球を導く遊技球経路１３を形成する。支持部１１の右下側には、ステージの谷部１１ｇおよび球排出口（図示せず）が設けられている。該球排出口は遊技球通路（図示せず）および入賞誘導通路口１１ｊと連通しており、入賞誘導通路口１１ｊから排出された遊技球は、入賞装置１０の特定入賞口（図示せず）に導かれ易くなっている。かかる構成の遊技球通路部９において１対の透明板体１２ａ，１２ｂが互いに接している場合、支持部１１が形成する枠の内側に導かれた遊技球は、遊技球経路１３を伝って支持部１１の窓１１ａの左上側から右下側へ転動し、さらにステージ１１ｆの右側の谷部１１ｇを転動して該球排出口に導かれ易い。すなわち、１対の透明板体１２ａ，１２ｂが互いに接して遊技球経路１３が形成された場合においてのみ高確率状態が遊技者に提供される。その他の構成は、上記した実施例１とほぼ同様の構成としても良い。
【００３８】
以上の如き構成によって、１対の透明板体１２ａ，１２ｂが互いに接している場合においてのみ特定の領域に遊技球を導くことができることから、１対の透明板体１２ａ，１２ｂの動きに遊技者の関心を払わせることができる。
（実施例３）
上記した実施例において、可動透明通路体１２を構成する１対の透明板体１２ａ，１２ｂは、支持部１１の窓１１ａの略中央において互いに最も近接しているものの、当該近接位置は、透明板体１２ａ，１２ｂが移動する方向において窓１１ａの中央から偏倚していることとしても良い。例えば、図７に示す如く、１対の透明板体１２ａ，１２ｂは、支持部１１の窓１１ａの中央よりも右側の位置において互いに最も近接する。すなわち、１対の透明板体１２ａ，１２ｂは、それぞれ窓１１ａの中央よりも右側の位置を挟んで左右に位置されており、図柄可変表示領域８ａの前面を左右方向に移動して互いに近接離間して、図柄可変表示領域８ａを完全に（図７（ａ））若しくは一部を覆う（図７（ｂ））又は露出する（図７（ｃ））。その他の構成は、上記した実施例と略同様としても良い。
（実施例４）
可動透明通路体１２は、１対の透明板体１２ａ，１２ｂからなる場合に限定されず、１枚の透明板体からなることとしても良い。例えば、図８に示す如く、遊技球通路部９は、左上方に通過開口１１ｂと揺動体１１ｃと案内通路１１ｄと供給開口１１ｅとが設けられている支持部１１と、左上方から右下方に向けて下方に傾斜している誘導路１２ｇを備えている１枚の透明板体１２ｈ（可動透明通路体）と、からなる。透明板体１２ｈは、支持部１１の窓１１ａを左側から右側に移動して図柄可変表示領域８ａを覆い、右側から左側に移動して図柄可変表示領域８ａを露出せしめる。すなわち、透明板体１２ｈは、図柄可変表示領域８ａの前面を左右方向に移動して、図柄可変表示領域８ａを完全に（図８（ａ））若しくは一部を覆う（図８（ｂ））又は露出する（図８（ｃ））。
【００３９】
当該実施例において、１枚の透明板体１２ｈは、図柄可変表示領域８ａを完全に覆う場合において、支持部１１の窓１１ａの左上側から右下側に遊技球を導く遊技球経路１３を形成する（図８（ａ））。支持部１１の右下側には、ステージ１１ｆの谷部１１ｇおよび球排出口（図示せず）が設けられている。球排出口（図示せず）は遊技球通路（図示せず）および入賞誘導通路口１１ｊと連通しており、入賞誘導通路口１１ｊから排出された遊技球は、入賞装置１０の特定入賞口（図示せず）に導かれ易くなっている。
【００４０】
かかる構成の遊技球通路部９において透明板体１２ｈ（可動透明通路体）が図柄可変表示領域８ａを完全に覆っている場合、支持部１１が形成する枠の内側に導かれた遊技球は、遊技球経路１３を伝って支持部１１の窓１１ａの左上側から右下側へ転動し、さらにステージ１１ｆの右側の谷部１１ｇを転動して該球排出口に導かれ易い。すなわち、透明板体１２ｈ（可動透明通路体）が遊技球経路１３を形成する場合においてのみ高確率状態が遊技者に提供される。従って、遊技者は可動透明通路体の動きに関心を払うこととなり、可動透明通路体の動きによる演出を行うことができる。
（実施例５）
なお、変形例として、支持部は、図柄可変表示領域の一部を覆う板状部を有し、１枚の透明板体からなる可動透明通路体が、該板状部に近接離間することとしても良い。
【００４１】
例えば、図９に示す如く、遊技球通路部９は、左上方に通過開口１１ｂと揺動体１１ｃと案内通路１１ｄと供給開口１１ｅとが設けられている支持部１１を有する。支持部１１には、図柄可変表示領域８ａを一部覆う板状部１１ｋが支持部１１の窓１１ａの左側部に設けられている。板状部１１ｋは、透明部材からなり、供給開口１１ｅを通過した遊技球の通路となっている案内路１１ｌを備えている。遊技球通路部９は、支持部１１の窓１１ａの右側から左側に移動して、かかる板状部１１ｋに対して近接離間する１枚の透明板体１２ｈを更に有している。
透明板体１２ｈは、図柄可変表示領域８ａの前面を左右方向に移動して、図柄可変表示領域８ａを完全に（図９（ａ））若しくは一部を覆う（図９（ｂ））又は露出する（図９（ｃ））。透明板体１２ｈには誘導路１２ｇが設けられており、透明板体１２ｈが板状部１１ｋに接している場合、誘導路１２ｇの端部が案内路１１ｌの端部と接して連続した遊技球の通路が形成される（図９（ａ））。かかる通路は、遊技球経路１３となる。遊技球経路１３は、ステージ１１ｆの右側に設けられた谷部１１ｇへと遊技球を案内する。当該谷部１１ｇの前方には、球排出口（図示せず）が設けられており、遊技球は、該球排出口に連通している入賞誘導通路口１１ｊを介して入賞装置１０に設けられている特定入賞口（図示せず）に導かれ易くなっている。従って、透明板体１２ｈが支持部１１に設けられた板状部１１ｋに接する場合においてのみ、遊技球を該球排出口に導き易い遊技球経路１３が形成される。
（その他の実施例）
可動透明通路体の可動方向は、上記実施例において左右方向であるものの、これに限定されず、例えば可動透明通路体は上下方向に可動であることとしても良い。
【００４２】
また、可動透明通路体が１対の透明板体からなる場合において、１対の透明板体は各々独立して動作することとしても良い。１対の透明板体を各々独立に動かすことによって、透明板体の動きを複雑に設定することができる。また、図柄可変表示領域の前面に所定のタイミングで透明板体を配置することができることから、図柄可変表示領域の視認性を良好にすると共に、透明板体の動きによる演出と図柄可変表示領域における図柄による演出とを組み合わせてより高度な表示演出を行うことができる。
【００４３】
また、可動透明通路体は、支持部の窓の上方から下方に向けて前方に傾斜していても良い。図１１に示す如く、可動透明通路体を構成する透明板体１２ａが支持部１１の窓１１ａの上方から下方に向けて前方方向に向かって傾斜していることによって、誘導路１２ｃを離れた遊技球を前方方向に導き易くすることができる。従って、ステージにおける遊技球の振分け結果は、遊技球の運動状態よりも誘導路１２ｃの下端部の位置に依存する。その結果、遊技者は可動透明通路体(透明板体)の動きに関心を払うこととなり、可動透明通路体(透明板体)の動きによる演出効果を高めることができる。
【００４４】
可動透明通路体は、遊技球が衝突してその運動方向を変化せしめる突起（図示せず）を有することとしても良い。例えば、可動透明通路体の誘導路の近傍に突起を設けても良い。該誘導路の上を伝って転動する遊技球は該突起に衝突し、当該衝突遊技球は該誘導路を離れて図柄可変表示領域の前方を落下する。該突起を設けることによって、誘導路からなる規定の流路とは異なる遊技球の動きを提供することができる。換言すれば、該突起を設けることによって、図柄可変表示領域の前面における遊技球の動きを複雑にすることができて、遊技球の動きによる演出効果を更に高めることができる。なお、該突起は、透明部材からなることが好ましい。図柄可変表示領域における視認性を維持することができる。
【図面の簡単な説明】
【００４５】
【図１】本発明による遊技球通路部を備えた遊技機の正面図である。
【図２】本発明による遊技機の遊技領域における遊技球通路部および入賞装            置の部分拡大正面図である。
【図３】本発明による遊技機の遊技領域における遊技球通路部および入賞装            置の部分拡大正面図である。
【図４】本発明による遊技機の遊技領域における遊技球通路部および入賞装            置の部分拡大正面図である。
【図５】図２のＡ−Ａ線断面図である。
【図６】本発明による遊技機の遊技領域における遊技球通路部および入賞装            置の変形例の部分拡大正面図である。
【図７】本発明による遊技機の遊技領域における遊技球通路部および入賞装            置の変形例の部分拡大正面図である。
【図８】本発明による遊技機の遊技領域における遊技球通路部および入賞装            置の変形例の部分拡大正面図である。
【図９】本発明による遊技機の遊技領域における遊技球通路部および入賞装            置の変形例の部分拡大正面図である。
【図１０】本発明による遊技機の遊技領域における遊技球通路部および入賞            装置の変形例の部分断面図である。
【符号の説明】
【００４６】
１  パチンコ機
３  遊技盤
３ａ  遊技領域
８  図柄可変表示装置
８ａ  図柄可変表示領域
９  遊技球通路部
１０  入賞装置
１１  支持部
１１ａ  窓
１１ｂ  通過開口
１１ｃ  揺動体
１１ｄ  案内通路
１１ｅ  供給開口
１１ｆ  ステージ
１１ｇ  谷部
１１ｈ  球排出口
１１ｉ  遊技球通路
１１ｊ  入賞誘導通路口
１１ｋ  板状部
１１ｌ  案内路
１２  可動透明通路体
１２ａ，１２ｂ，１２ｈ  透明板体
１２ｃ，１２ｄ，１２ｇ  誘導路
１２ｅ，１２ｆ  湾曲部
１３  遊技球経路
【図１】
2007125137.tif 000003
【図２】
2007125137.tif 000004
【図３】
2007125137.tif 000005
【図４】
2007125137.tif 000006
【図５】
2007125137.tif 000007
【図６】
2007125137.tif 000008
【図７】
2007125137.tif 000009
【図８】
2007125137.tif 000010
【図９】
2007125137.tif 000011
【図１０】
2007125137.tif 000012